(57)【要約】
【課題】画像と接眼レンズとを素早く合わせることができ、複数組の写真を速やかに見ることができること。
【解決手段】画像保持板１０に重ね合わされて配置されると共に、一角隅部が回動自在に係止され、他方の角隅部の周縁２０Ａが円弧状にカットされてなる画像カード２０と、画像カード２０に装着された２つの画像２１Ａ、２１Ｂと、画像保持板１０に連設された底板１１と、底板１１に連設され、２つの画像２１Ａ、２１Ｂと対面する接眼板１２と、接眼板１２に設けられた一対の接眼レンズ３０と、画像保持板１０の側縁に連設された内折れ側板１４と、接眼レンズ３０と画像カード２０との間隔を決定する長さを有し、内折れ側板１４に連設された形状保持片１４１と、内折れ側板１４に連設され、接眼板１２に固着された接眼板連結片１４２と、内折れ側板１４に連設され、底板１１に固着された底板連結片１４３とを備えた。
【選択図】図１
0003101211.tif 000002
【実用新案登録請求の範囲】
【請求項１】
画像保持板１０と、
画像保持板１０に回動自在に係止された画像カード２０と、
画像カード２０に装備された２つの立体表示用の画像２１Ａ、２１Ｂと、
画像保持板１０の一縁に連設された底板１１と、
底板１１の一縁に連設され、２つの画像２１Ａ、２１Ｂと対面する接眼板１２と、
接眼板１２に設けられた一対の接眼レンズ３０と、
接眼レンズ３０と画像カード２０との間隔を決定する形状保持片１４１を、折目線１６１を介して連設した内折れ側板１４と、
内折れ側板１４と接眼板１２とを連結する接眼板連結片１４２と、
内折れ側板１４と底板１１とを連結する底板連結片１４３とを備えたことを特徴とする折畳式ビューアー。
【請求項２】
画像保持板１０と、
画像保持板１０に重ね合わされて配置されると共に、一角隅部が画像保持板１０に係止軸１９を介して回動自在に係止され、係止軸１９から最も離れた角隅部の周縁２０Ａが円弧状にカットされてなる画像カード２０と、
画像カード２０に装備された２つの立体表示用の画像２１Ａ、２１Ｂと、
画像保持板１０の一縁に折目線２７を介して連設された底板１１と、
底板１１の一縁に折目線２８を介して連設され、２つの画像２１Ａ、２１Ｂと対面する接眼板１２と、
接眼板１２に設けられた一対の接眼レンズ３０と、
画像保持板１０の、底板１１側の端部から中間位置に亘る側縁に、折目線２５を介して連設された内折れ側板１４と、
接眼レンズ３０と画像カード２０との間隔を決定する長さを有し、内折れ側板１４に折目線１６１を介して連設された形状保持片１４１と、
内折れ側板１４に折目線１６２を介して連設され、接眼板１２に固着された接眼板連結片１４２と、
内折れ側板１４に折目線１６３を介して連設され、底板１１に固着された底板連結片１４３とを備えたことを特徴とする折畳式ビューアー。
【請求項３】
画像保持板１０と、
画像保持板１０に重ね合わされて配置されると共に、一角隅部が画像保持板１０に係止軸１９を介して回動自在に係止され、係止軸１９から最も離れた角隅部の周縁２０Ａが円弧状にカットされてなる画像カード２０と、
画像カード２０に装備された２つの立体表示用の画像２１Ａ、２１Ｂと、
画像保持板１０の一縁に折目線２７を介して連設された底板１１と、
底板１１の一縁に折目線２８を介して連設され、２つの画像２１Ａ、２１Ｂと対面する接眼板１２と、
接眼板１２に設けられた一対の接眼レンズ３０と、
底板１１の両縁に連設された内折れ側板１４と、
接眼レンズ３０と画像カード２０との間隔を決定する長さを有し、内折れ側板１４に折目線１６１を介して連設された形状保持片１４１と、
内折れ側板１４に折目線１６２を介して連設され、接眼板１２に固着された接眼板連結片１４２と、
内折れ側板１４に連設され、画像保持板１０に固着された画像保持板連結片とを備えたことを特徴とする折畳式ビューアー。
【請求項４】
請求項１ないし３のいずれかに記載の折畳式ビューアーにおいて、
接眼板１２に一対の透孔１３を設け、この接眼板１２に、一対の透孔１３Ａを設けた補助接眼板１２Ａを、各一対の透孔１３および１３Ａが合致するように重ね合せて接眼レンズ３０の周辺を挟着したことを特徴とする折畳式ビューアー。
【請求項５】
請求項１ないし３のいずれかに記載の折畳式ビューアーにおいて、
内折れ側板１４に、形状保持片１４１の外縁の中間位置１６５を頂点とし、かつ、内折れ側板１４の一縁を底辺とする三角形の折目線１６４を設けたことを特徴とする折畳式ビューアー。
【請求項６】
請求項２又は３に記載の折畳式ビューアーにおいて、
係止軸１９は、軸心に貫通孔を有するものであることを特徴とする折畳式ビューアー。
【請求項７】
請求項２又は３に記載の折畳式ビューアーにおいて、
係止軸１９は、画像カード２０を保持している軸本体と、軸本体の端部に設けられて画像カード２０を挿脱自在に押えている押え部とを備えたものであることを特徴とする折畳式ビューアー。
【請求項８】
請求項２に記載の折畳式ビューアーにおいて、
接眼板１２の長さをＬ１、内折れ側板１４の折目線２５の長さをＬ２、底板１１の長さをＬとしたとき、
Ｌ≧Ｌ１＋Ｌ２であることを特徴とする折畳式ビューアー。
【請求項９】
請求項３に記載の折畳式ビューアーにおいて、
接眼板１２の長さをＬ１、内折れ側板１４に連設され、画像保持板１０に固着された画像保持板連結片の長さをＬ３、底板１１の長さをＬとしたとき、
Ｌ≧Ｌ１＋Ｌ３であることを特徴とする折畳式ビューアー。
【考案の詳細な説明】
【技術分野】
【０００１】
本考案は、最小限の設置スペースで、より多くの商品を見せる場合や、実物を作ることが難しいインテリア空間やプロダクト製品、またこれらのシーン展開等を見せる場合に、臨場感ある立体画像で見せることができる折畳式ビューアーに関する。
【背景技術】
【０００２】
立体画像を見るために、箱体の背面に、特殊カメラを使って撮影した２つの写真を配置し、同箱体の正面に接眼レンズを配置してなる立体視装置は、従来から公知である（特許文献１、特許文献２参照）。
このような立体視装置は、厚紙に描いた折目線に沿って折り込むことによって形成され、接眼レンズから、２つの写真を１つの立体写真として見ることができ、また、不使用時や運搬時には折り畳むことができるように構成されている。
【特許文献１】実開昭６３−１６４４４４号公報
【特許文献２】実用新案登録第２５２０１５７号公報
【考案の開示】
【考案が解決しようとする課題】
【０００３】
ところで、上記のような従来の技術には、次のような解決すべき課題があった。
従来の立体視装置では、複数組の写真を連続して見る場合に、写真を１組ずつ時間をかけてセットしなければならなかったり、写真と接眼レンズとを好ましい間隔に合せるのに手間がかかる等の煩わしさがある。また、複数組の写真がコンパクトに収まらなかったりしていた。
【０００４】
本考案は以上の点に着目してなされたもので、写真等の画像と接眼レンズとの所定の間隔を素早く合わせることができ、複数組の画像を速やかに見ることができる折畳式ビューアーを提供することを目的とする。
【課題を解決するための手段】
【０００５】
本考案は次の構成により上記の課題を解決する。
〈構成１〉
画像保持板１０と、画像保持板１０に回動自在に係止された画像カード２０と、画像カード２０に装備された２つの立体表示用の画像２１Ａ、２１Ｂと、画像保持板１０の一縁に連設された底板１１と、底板１１の一縁に連設され、２つの画像２１Ａ、２１Ｂと対面する接眼板１２と、接眼板１２に設けられた一対の接眼レンズ３０と、接眼レンズ３０と画像カード２０との間隔を決定する形状保持片１４１を、折目線１６１を介して連設した内折れ側板１４と、内折れ側板１４と接眼板１２とを連結する接眼板連結片１４２と、内折れ側板１４と底板１１とを連結する底板連結片１４３とを備えたことを特徴とする折畳式ビューアー。
【０００６】
画像カード２０と接眼板１２とは、底板１１を介して対面している。画像カード２０に装備された２つの画像２１Ａ、２１Ｂから接眼レンズ３０までの距離は、接眼レンズ３０の焦点距離と等しくなるようにされている。接眼レンズ３０を用いて２つの画像２１Ａ、２１Ｂを１つの立体画像として見ることができるようにされている。画像カード２０は、１枚ずつ、外側に回動しながら順次めくられる。２つの画像２１Ａ、２１Ｂは、特殊カメラを使って撮影した写真の他に、同様の処理を施した絵画、図面、映像等を含むものとする。
接眼レンズ３０と画像カード２０との間隔を決定する形状保持片１４１とは、接眼レンズ３０の焦点距離と同じ長さを有するものである。この形状保持片１４１を、内折れ側板１４に対して折目線１６１を介して直角に折り曲げることにより、画像カード２０と接眼レンズ３０との所定の間隔を決定すると共に、内折れ側板１４を補強して所望の形状を保持する。すなわち、形状保持片１４１は、揺れ止めを行い型崩れがしないようにして安定した状態で立体画像を見れるようにする効果を奏する。
折畳式ビューアーを使用しないときは、形状保持片１４１を、折り曲げ状態から内折れ側板１４と同一平面になるまで引き戻し、内折れ側板１４を内側に押し込むと共に、接眼板１２を折り込んで底板１１上に重ね合せ、続いて、画像保持板１０も折り畳んで接眼板１２上に重ね合せるようにする。このようにすると、折畳式ビューアー全体の形状がポケットサイズのコンパクトな１枚の平板となる。
【０００７】
〈構成２〉
画像保持板１０と、画像保持板１０に重ね合わされて配置されると共に、一角隅部が画像保持板１０に係止軸１９を介して回動自在に係止され、係止軸１９から最も離れた角隅部の周縁２０Ａが円弧状にカットされてなる画像カード２０と、画像カード２０に装備された２つの立体表示用の画像２１Ａ、２１Ｂと、画像保持板１０の一縁に折目線２７を介して連設された底板１１と、底板１１の一縁に折目線２８を介して連設され、２つの画像２１Ａ、２１Ｂと対面する接眼板１２と、接眼板１２に設けられた一対の接眼レンズ３０と、画像保持板１０の、底板１１側の端部から中間位置に亘る側縁に、折目線２５を介して連設された内折れ側板１４と、接眼レンズ３０と画像カード２０との間隔を決定する長さを有し、内折れ側板１４に折目線１６１を介して連設された形状保持片１４１と、内折れ側板１４に折目線１６２を介して連設され、接眼板１２に固着された接眼板連結片１４２と、内折れ側板１４に折目線１６３を介して連設され、底板１１に固着された底板連結片１４３とを備えたことを特徴とする折畳式ビューアー。
【０００８】
画像保持板１０に重ねられた画像カード２０と接眼板１２とは、底板１１を介して対面している。画像カード２０に装備された２つの画像２１Ａ、２１Ｂから接眼レンズまでの距離は、接眼レンズの焦点距離と等しくなるようにされている。接眼レンズ３０を用いて２つの画像２１Ａ、２１Ｂを１つの立体画像として見ることができるようにされている。画像カード２０は、１枚ずつ、係止軸１９を軸として外側に回動しながら順次めくられる。このとき、係止軸１９から最も離れた角隅部の周縁２０Ａが円弧状にカットされていることにより、周縁２０Ａが内折れ側板１４等に接することなくスムーズにめくることができる。
本考案における２つの画像２１Ａ、２１Ｂは、特殊カメラを使って撮影した写真の他に、同様の処理を施した絵画、図面、映像等を含むものとする。
接眼レンズ３０と画像カード２０との間隔を決定する長さとは、接眼レンズ３０の焦点距離と同じ長さであることをいう。形状保持片１４１は、内折れ側板１４に対して直角に折り曲げることにより、画像カード２０と接眼レンズ３０との間隔を決定すると共に、内折れ側板１４を補強して所定形状を保持する。すなわち、形状保持片１４１は、揺れ止めを行い型崩れがしないようにして安定した状態で立体画像を見れるようにする効果を奏する。
折畳式ビューアーを使用しないときは、形状保持片１４１を、折り曲げ状態から内折れ側板１４と同一平面に引き戻し、内折れ側板１４を内側に押し込むと共に、接眼板１２を折り込んで底板１１上に重ね合せ、続いて、画像保持板１０も折り畳んで接眼板１２上に重ね合せるようにする。このようにすると、折畳式ビューアー全体の形状がポケットサイズのコンパクトな１枚の平板となる。
【０００９】
〈構成３〉
画像保持板１０と、画像保持板１０に重ね合わされて配置されると共に、一角隅部が画像保持板１０に係止軸１９を介して回動自在に係止され、係止軸１９から最も離れた角隅部の周縁２０Ａが円弧状にカットされてなる画像カード２０と、画像カード２０に装備された２つの立体表示用の画像２１Ａ、２１Ｂと、画像保持板１０の一縁に折目線２７を介して連設された底板１１と、底板１１の一縁に折目線２８を介して連設され、２つの画像２１Ａ、２１Ｂと対面する接眼板１２と、接眼板１２に設けられた一対の接眼レンズ３０と、底板１１の両縁に連設された内折れ側板１４と、接眼レンズ３０と画像カード２０との間隔を決定する長さを有し、内折れ側板１４に折目線１６１を介して連設された形状保持片１４１と、内折れ側板１４に折目線１６２を介して連設され、接眼板１２に固着された接眼板連結片１４２と、内折れ側板１４に連設され、画像保持板１０に固着された画像保持板連結片とを備えたことを特徴とする折畳式ビューアー。
【００１０】
構成２は内折れ側板１４を画像保持板１０の両縁に連設したものであるが、構成３は内折れ側板１４を底板１１の両縁に連設した例であり、それ以外の構造および作用効果は、構成２とほぼ同じである。
【００１１】
〈構成４〉
構成１ないし３のいずれかに記載の折畳式ビューアーにおいて、接眼板１２に一対の透孔１３を設け、この接眼板１２に、一対の透孔１３Ａを設けた補助接眼板１２Ａを、各一対の透孔１３および１３Ａが合致するように重ね合せて接眼レンズ３０の周辺を挟着したことを特徴とする折畳式ビューアー。
【００１２】
接眼板１２が補助接眼板１２Ａにより補強され、しかも、接眼レンズ３０を着実に保持することができる。
【００１３】
〈構成５〉
構成１ないし３のいずれかに記載の折畳式ビューアーにおいて、内折れ側板１４に、形状保持片１４１の外縁の中間位置１６５を頂点とし、かつ、内折れ側板１４の一縁を底辺とする三角形の折目線１６４を設けたことを特徴とする折畳式ビューアー。
【００１４】
内折れ側板１４を、三角形の折目線１６４に沿って内側に折り曲げることにより、接眼板１２と画像保持板１０とを底板１１に対してスムーズに折り畳むことができる。
【００１５】
〈構成６〉
構成２又は３に記載の折畳式ビューアーにおいて、係止軸１９は、軸心に貫通孔を有するものであることを特徴とする折畳式ビューアー。
【００１６】
係止軸１９を、鳩目で構成して軸心に生じた貫通孔に、例えば適当な長さの紐等を通して持ち運びや保管の便等の実用に供することができる。
【００１７】
〈構成７〉
構成２又は３に記載の折畳式ビューアーにおいて、係止軸１９は、画像カード２０を保持している軸本体と、軸本体の端部に設けられて画像カード２０を挿脱自在に押えている押え部とを備えたものであることを特徴とする折畳式ビューアー。
【００１８】
必要に応じて、画像カード２０を画像保持板１０から取り外し交換可能とするものである。
【００１９】
〈構成８〉
構成２に記載の折畳式ビューアーにおいて、
接眼板１２の長さをＬ１、内折れ側板１４の折目線２５の長さをＬ２、底板１１の長さをＬとしたとき、
Ｌ≧Ｌ１＋Ｌ２であることを特徴とする折畳式ビューアー。
【００２０】
底板１１に対して、画像保持板１０と接眼板１２を折り畳んだとき、接眼板１２が内折れ側板１４とが直線状に連なり、スムーズに収まる。
【００２１】
〈構成９〉
構成３に記載の折畳式ビューアーにおいて、
接眼板１２の長さをＬ１、内折れ側板１４に連設され、画像保持板１０に固着された画像保持板連結片の長さをＬ３、底板１１の長さをＬとしたとき、
Ｌ≧Ｌ１＋Ｌ３であることを特徴とする折畳式ビューアー。
【００２２】
構成８の折畳式ビューアーと同様の効果が得られる。
【考案を実施するための最良の形態】
【００２３】
以下、本考案の実施の形態を、図示した具体例を用いて説明する。
【実施例１】
【００２４】
図１は、本考案の折畳式ビューアーの一実施例を示す斜視図である。
図１において、折畳式ビューアーは、画像保持板１０、底板１１、接眼板１２および内折れ側板１４により、平面状に折り畳み可能な、上面開放の箱形に形成されている。
【００２５】
画像保持板１０には、複数枚の画像カード２０が重ね合わされて配置され、鳩目等の係止軸１９により回動自在に係止されている。画像保持板１０と各画像カード２０とは平面形状がほぼ同じ大きさである。係止軸１９は画像保持板１０の一角隅部に位置している。各画像カード２０は、係止軸１９から最も離れた角隅部の周縁２０Ａが円弧状にカットされ、係止軸１９を軸として回動したとき周縁２０Ａが内折れ側板１４に接触しないようにされている。
【００２６】
画像カード２０には、特殊カメラを使って撮影された２つの写真２１Ａ、２１Ｂが貼着されている。画像カード２０と対面する接眼板１２には、一対の接眼レンズ３０が装備されている。画像カード２０と接眼板１２とは、内折れ側板１４の形状保持片１４１により、所定の間隔が決定され、さらに補強されて所定形状を保持されている。画像カード２０あるいは接眼レンズ３０と画像カード２０との間隔は、接眼レンズ３０の焦点距離と同じである。
【００２７】
図５ないし図７は、それぞれ上記実施例１の折畳式ビューアーを示す平面図、正面図、側面図である。図８は同折畳式ビューアーの展開平面図である。
これらの図において、画像保持板１０の一縁に、折目線２７を介して底板１１が連設されている。底板１１の一縁に、折目線２８を介して接眼板１２が連設されている。折目線２７および２８は、それぞれ適当な間隔、すなわち複数枚の画像カード２０の厚み分の間隔を置いた平行な２本の折り目から形成されている。したがって、画像保持板１０を底板１１側に折り畳んだとき、複数枚の画像カード２０を無理なく収容できる。
【００２８】
接眼板１２は２層に構成されている。すなわち、図８に示されるように、接眼板１２に、折目線２９を介して補助接眼板１２Ａが連接され、この補助接眼板１２Ａを内側に折り込むことにより２層に構成されている。接眼板１２および補助接眼板１２Ａに、接眼レンズ３０を取付けるために、それぞれ一対の透孔１３、１３Ａが設けられている。補助接眼板１２Ａを、折目線２９に沿って内側に折り込んだとき、各一対の透孔１３、１３Ａが相互に合致して接眼レンズ３０を挟持するようにされている。
【００２９】
画像保持板１０の両側面に、内折れ側板１４が連設されている。内折れ側板１４の巾は、画像保持板１０の巾の半分程度である。内折れ側板１４は、画像保持板１０の、底板１１側の端部から中間位置に亘る側縁に、折目線２５を介して連設されている。
【００３０】
内折れ側板１４の周辺には、折目線１６１を介して連設された形状保持片１４１と、折目線１６２を介して連設された接眼板連結片１４２と、折目線１６３を介して連設された底板連結片１４３とが設けられている。形状保持片１４１は、接眼レンズ３０と画像カード２０との間隔を決定する長さ、すなわち、接眼レンズ３０の焦点距離と同じ長さを有している。接眼板連結片１４２は接眼板１２に固着されている。底板連結片１４３は底板１１に固着されている。
内折れ側板１４に、形状保持片１４１の外縁の中間位置１６５を頂点とし、かつ底板連結片１４３の折目線１６３又は内折れ側板１４の一縁を底辺とする三角形の折目線１６４が設けられている。
【００３１】
図２は上記実施例１の折畳式ビューアーの使用状態を示す斜視図、図３は同折畳式ビューアーを折り畳んだ状態を示す斜視図、図４はその平面図である。
折畳式ビューアーを使用するときは、図２に示すように、画像保持板１０と接眼板１２とを対面させた後、形状保持片１４１を、内折れ側板１４に対して直角に折り曲げることにより、画像カード２０と接眼レンズ３０との間隔を決定し、内折れ側板１４を補強して所定形状を保持した状態とする。この状態で、接眼レンズ３０から画像カード２０に貼られた２つの写真２１Ａ、２１Ｂを、１つの立体写真として見ることができる。画像カード２０が複数枚あるときは、各画像カード２０を、係止軸１９を軸として外側に回動しながら順次めくるようにする。
【００３２】
折畳式ビューアーを使用しないときは、形状保持片１４１を、折り曲げ状態から引き戻して内折れ側板１４と同一平面とし、内折れ側板１４を、折目線１６４に沿って内側に押し込むと共に、接眼板１２を折り込んで底板１１上に重ね合せ、続いて、画像保持板１０も折り畳んで接眼板１２上に重ね合せるようにする。このようにすると、図３に示すように、折畳式ビューアー全体の形状がポケットサイズのコンパクトな１枚の平板状となる。
なお、図３に示すように、接眼板１２の長さをＬ１、内折れ側板１４の折目線２５の長さをＬ２、底板１１の長さをＬとしたとき、Ｌ≧Ｌ１＋Ｌ２とする。このようにすることにより、底板１１に対して、画像保持板１０と接眼板１２を折り畳んだとき、接眼板１２が内折れ側板１４とが直線状に連なり、スムーズに収まる。
また、画像保持板１０、接眼板１２等を折り畳む際に、始めに内折れ側板１４を、三角形をなす折目線１６４に沿って折り曲げることにより、接眼板１２と画像保持板１０とを底板１１に対してスムーズに折り畳むことができる。
【００３３】
なお、係止軸１９を鳩目で構成して軸心に貫通孔を設けることにより、その貫通孔に、例えば適当な長さの紐を通して持ち運びや保管の便等の実用に供することができる。また、係止軸１９としては、画像カード２０を画像保持板１０から取り外し交換可能とするために、図示しないが、次の構成してもよい。すなわち、画像カード２０を保持している軸本体と、軸本体の端部に設けられて画像カード２０を挿脱自在に押えている押え部とからなるものとする。例えば、軸本体の端部にねじ溝を形成し、このねじ溝にねじ込み可能なリング状物を押え部とするものや、軸本体の端部に、折り曲げ可能に接合された棒状物を押え部とするものである。
【００３４】
また、内折れ側板１４は画像保持板１０に限られず、底板１１の両側に折目線を介して連設されてもよい。この場合は、図示しないが、内折れ側板１４の一縁に、底板連結片１４３の代りに、画像保持板１０に固着される画像保持板連結片が設けられる。このとき、接眼板１２の長さをＬ１、画像保持板連結片の長さをＬ３、底板１１の長さをＬとしたとき、Ｌ≧Ｌ１＋Ｌ３とする。このようにすることにより、底板１１に対して、画像保持板１０と接眼板１２を折り畳んだとき、接眼板１２が内折れ側板１４とが直線状に連なり、スムーズに収まる。
また、上記の実施例では２枚の立体表示用写真を使用したが、コンピュータグラフィックを使用して作成した絵等、各種の立体表示用の画像を使用することができる。
【図面の簡単な説明】
【００３５】
【図１】実施例１の折畳式ビューアーを示す斜視図である。
【図２】同折畳式ビューアーの使用状態を示す斜視図である。
【図３】同折畳式ビューアーを折り畳んだ状態を示す斜視図である。
【図４】図３に示した同折畳式ビューアーの平面図である。
【図５】実施例１の折畳式ビューアーを示す平面図である。
【図６】同折畳式ビューアーの正面図である。
【図７】同折畳式ビューアーの側面図である。
【図８】同折畳式ビューアーの展開平面図である。
【符号の説明】
【００３６】
１０ 画像保持板
１１ 底板
１２ 接眼板
１４  内折れ側板   １９  係止軸
２０  画像カード
２０Ａ  画像カードの周縁
２１Ａ、２１Ｂ  ２つの写真
３０  接眼レンズ
１４１  形状保持片
１６４  三角形の折目線
【図１】
0003101211.tif 000003
【図２】
0003101211.tif 000004
【図３】
0003101211.tif 000005
【図４】
0003101211.tif 000006
【図５】
0003101211.tif 000007
【図６】
0003101211.tif 000008
【図７】
0003101211.tif 000009
【図８】
0003101211.tif 000010